(57)【要約】【課題】  ストロボ発光を使うことなく高品質の撮影を簡単に行うことのできるカメラを提供することを目的とする。【解決手段】  カメラ１０は、測光部１３により測光された被写体の輝度に対応した露出指数を算出し、この露出指数に基づいて露出制御を行う。カメラ１０にフィルム感度がＩＳＯ１６００により示される感度以上である場合には、通常の露出指数に対して所定の補正を行って得た露出指数を用いて露出制御を行う。ここで、ＢＶ値が０〜３の間の平均補正値をΔＥ１、ＢＶ値が６〜９の平均補正値をΔＥ２とする場合、ΔＥ１−ΔＥ２≧０．５とする。また、ΔＥ１−ΔＥ２≧０．８とすることも好ましい。【選択図】  図１
2006003740.tif 000002
【特許請求の範囲】
【請求項１】
撮像媒体の撮像感度を検知する感度検知手段と、
外光輝度を検出する測光手段と、
前記撮像感度がＩＳＯ感度１６００に相当する感度以上であるか否かを判断する感度判断手段と、
前記感度判断手段により前記撮像感度がＩＳＯ感度１６００に相当する感度以上であると判断されたときに、第二輝度領域に対し低輝度側に設定される第一輝度領域において露出補正値を平均で少なくとも０．５Ｅｖ以上大きい値に設定し、前記感度検知手段により検知された撮像感度と前記測光手段により検出された輝度値とに基づいて演算される露出基準値から前記露出補正値を減じて露出目標値を算出し、前記露出目標値に基づいて露出制御を行う露出制御手段と、
を備えたカメラ。
【請求項２】
前記露出制御手段は、前記感度判断手段により前記撮像感度がＩＳＯ感度１６００に相当する感度以上であると判断されたときに、前記第二輝度領域に対し前記第一輝度領域における露出補正値を平均で少なくとも０．８Ｅｖ以上大きい値に設定すること、
を特徴とする請求項１に記載のカメラ。
【請求項３】
ストロボ光を発光するストロボ発光手段と、
撮影モードが自動撮影モードであって、前記感度判断手段により前記撮像感度がＩＳＯ感度１６００に相当する感度以上であると判断され、かつ、前記輝度値が所定値以下の場合には、前記ストロボ光の発光を禁止するストロボ発光制御手段と、
を備えたことを特徴とする請求項１又は２に記載のカメラ。
【発明の詳細な説明】
【技術分野】
【０００１】
本発明は、周囲の明るさに応じた高品質な撮影が行えるカメラに関する。
【背景技術】
【０００２】
従来のカメラは、ストロボ発光による露光制御を行うことにより、撮影する場所を選ばずにどこでも撮影できる。このカメラは、撮影時における露光のばらつきを考慮し、露出不足となることを防止するために、所定の露出制御を行っている。図９は、従来のカメラにおける露出制御の概念図である。図９に示すとおり、外光輝度を示すＢＶ値が−１以上９以下であるときは、ＢＶ値が１段あがるごとにＥＶ値を１段上げるよう制御し、露出制御を行っている。このような露出制御を行っていても通常ＢＶ値が３以下のときに撮影するときにはフラッシュ（ストロボ発光）を使用している。
【０００３】
また、被写体の明るさが低い範囲でも露出不足のおこらないようにしたカメラとして、特開平５−３４７５４号公報（特許文献１）に記載されるように、被写体の輝度がある設定値より低いと判断した場合には内蔵フィルムの感度を低感度に切り換え、露出量が大きくなるように露出制御を行うものが知られている。
【特許文献１】特開平５−３４７５４号公報
【発明の開示】
【発明が解決しようとする課題】
【０００４】
しかしながら、ストロボ発光して撮影を行うと、ストロボ光により被写体が浮き出るように撮影され、その場の雰囲気から程遠い写りとなってしまう。
【０００５】
また、特許文献１に記載のカメラにあっては、被写体の輝度によって露出の制御を行うものであり、フィルムの感度に応じた露出の制御を行うものではない。従って、フィルムの感度に応じた適切な露出制御を行うことはできない。
【０００６】
そこで、本発明は、ストロボ発光を行うことなく、高品質な写真撮影が容易に行えるカメラを提供することを目的とする。
【課題を解決するための手段】
【０００７】
上述の課題を解決するために、本発明に係るカメラは、撮像媒体における撮像感度を検知する感度検知手段と、外光輝度を検出測光手段と、前記撮像感度がＩＳＯ感度１６００に相当する感度以上であるか否かを判断する感度判断手段と、前記感度判断手段により前記撮像感度がＩＳＯ感度１６００に相当する感度以上であると判断されたときに、第二輝度領域に対し低輝度側に設定される第一輝度領域において露出補正値を平均で少なくとも０．５Ｅｖ以上大きい値に設定し、前記感度検知手段により検知された撮像感度と前記測光手段により検出された輝度値とに基づいて演算される露出基準値から前記露出補正値を減じて露出目標値を算出し露出制御を行う露出制御手段とを備えて構成されている。
【０００８】
また本発明に係るカメラは、前記露出制御手段は、前記感度判断手段により前記撮像感度がＩＳＯ感度１６００に相当する感度以上であると判断されたときに、前記第二輝度領域に対し前記第一輝度領域における露出補正値を平均で少なくとも０．８Ｅｖ以上大きい値に設定することを特徴とする。
【０００９】
また本発明に係るカメラは、ストロボ光を発光するストロボ発光手段と、撮影モードが自動撮影モードであって、前記感度判断手段により前記撮像感度がＩＳＯ感度１６００に相当する感度以上であると判断され、かつ、前記輝度値が所定値以下の場合には、前記ストロボ光の発光を禁止するストロボ発光制御手段とを備えたことを特徴とする。
【００１０】
これらの発明によれば、撮像媒体の撮像感度がＩＳＯ感度１６００以上の高感度である場合に、第二輝度領域に対し低輝度側に設定される第一輝度領域において露出補正値を平均で少なくとも０．５Ｅｖ以上大きい値に設定することにより、撮影環境に応じた適切な露出制御が行え、ストロボ発光することなく、より現実に近い光による撮影を簡単に行うことができる。特に、室内の人工照明下での撮影環境において、青感層に対しても適正な露出を与えることができ、より高品質な写真撮影が行える。
【発明の効果】
【００１１】
本発明は、ストロボを使用することなく、より現実に近い光による撮影を容易に行うことができる。
【発明を実施するための最良の形態】
【００１２】
本発明は、一実施の形態のために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１３】
図１は、本実施形態のカメラ１０のブロック構成図である。カメラ１０は、例えば、１３５フィルムフォーマットのパトローネを装填するレンズシャッターカメラに適用される。このカメラ１０は、シャッターボタン１１、フィルム感度検知部１２、測光部１３、メモリ部１４、ストロボ発光部１５、シャッター部１６、投光部１７、受光部１８、制御部１９を備えている。以下、各部について説明する。
【００１４】
シャッターボタン１１は、ユーザが被写体を撮影しようとするときに押下するボタンである。このシャッターボタン１１が押下されるとシャッター部１６がシャッターの開閉動作を行う。
【００１５】
フィルム感度検知部１２は、フィルム装填部（図示せず）に装填されたフィルムの感度を検知する感度検知手段である。フィルム感度検知部１２は、フィルムパトローネに示されるＣＡＳコードのうち感度をあらわす部分を読取り、読取った情報を制御部１９に出力する。制御部１９では、出力された情報に基づいてフィルム感度を認識することができる。フィルム感度はＩＳＯ（International Organization for Standardization）で定められている。なお、ユーザがマニュアル操作においてフィルム感度を設定するようにしてもよい。
【００１６】
測光部１３は、被写体の輝度を測定する測光手段である。測光部１３が測定した輝度を示す情報を制御部１９に出力し、制御部１９では、外光輝度をＡＰＥＸ単位であるＢＶ値（Brightness Value）に変換する。なお、ＬＶ値（Light Value）（ＬＶ値＝ＢＶ値＋ＳＶ値）を用いてもよい。
【００１７】
メモリ部１４は、補正制御テーブル、プログラム線図、および動作プログラムを記憶している。補正制御テーブルは、ＢＶ値とΔＥＶ値とを対応付けて記憶する制御情報である。ΔＥＶ値とは、露出基準値を補正するための露光補正値である。露出基準値は、例えばＢＶ値にＡＰＥＸ単位であるＳＶ値（Film Speed Value）を加算することにより算出される。そして、露出目標値であるＥＶ値（Exposure Value）は、ＢＶ値にＳＶ値を加算したものから露光補正値ΔＥＶを減じることにより算出される。
【００１８】
この補正制御テーブルの具体例を示す。図２は、補正制御テーブルの概念図である。図２に示すように、ＢＶ値とΔＥＶ値とが対応付けて記憶されている。この補正制御テーブルに記憶されている情報に基づき、測光部１３が検出したＢＶ値に対応するΔＥＶ値が設定される。そして、ＢＶ値＋ＳＶ値により算出された露出基準値からΔＥＶ値を減算することにより、補正された露出目標値ＥＶが算出される。
【００１９】
プログラム線図は、露出制御のためのＡＰＥＸ単位で示されるＥＶ値と、同じくＡＰＥＸ単位であるＴＶ値（Shutter Speed Value）およびＡＶ値（Aperture Value）とを対応付けた制御情報である。なお、ＴＶ値とは、シャッタースピードを示し、ＡＶ値とは、Ｆ値（レンズ絞り）を示す情報である（図７参照）。
【００２０】
動作プログラムは、カメラ１０における撮影動作に関する一連の制御処理を行うためのプログラムである。
【００２１】
ストロボ発光部１５は、測光部１３が測定した外光輝度に基づき、自動的に又はユーザの操作により、被写体にストロボ光を発光するものである。なお、本実施形態におけるストロボ発光部１５は、ＢＶ値があらかじめ定めた範囲（例えばＢＶ値＜３）では使用できないよう設定されることも可能である。
【００２２】
シャッター部１６は、制御部１９による露出制御（シャッタースピードおよびＦ値（レンズ絞り））に基づいて、Ｆ値で示された径で開口し、シャッタースピードで示された時間経過すると閉口する動作を行うものであり、シャッター部１６が開口している間レンズを通して得た画像はフィルムに転写される。
【００２３】
投光部１７は、被写体までの距離を測定するためのものであり、被写体に対して光を照射するものである。
【００２４】
受光部１８は、投光部１７が照射した光が被写体から反射した光に基づいて被写体までの距離を算出するものである。具体的には、受光部１８は、受光した光に基づいた光量を示す情報を制御部２１に出力し、制御部１９は、入力された光量を示す情報に基づいて被写体までの距離を算出する。これら投光部１７、受光部１８から測距部が構成されている。
【００２５】
制御部１９は、カメラ全体の制御を行う制御手段であり、例えばＣＰＵ、ＲＯＭ、ＲＡＭ、入力信号回路、出力信号回路などを備えて構成されている。この制御部１９は、後述する動作フローチャートを実行する。例えば、シャッターボタン１１の押下を検知すると、シャッター部１６を動作させるよう指示を出力する。また、フィルム感度検知部１２からの情報に基づいてフィルム感度を判断する。また、測光部１３から出力された被写体の光量を示す情報に基づいてＢＶ値を算出する。また、シャッターボタン１１が半押しされた状態を検知すると、測距部を動作させる。さらに、露出基準値から露出補正値（ΔＥＶ）を減算することにより補正された露出目標値を算出する。このように、制御部１９は、露出制御を行う露出制御手段としても機能する。
【００２６】
次に、このように構成されたカメラ１０の露出制御における動作について説明する。
【００２７】
まず、本実施形態のカメラ１０における露出制御の概要について説明する。図３は、第１の実施形態における露出制御の概念図であり、補正制御テーブルに記憶されているＢＶ値とΔＥＶ値との対応を模式的に表したものである。
【００２８】
図３に示すとおり、縦軸にΔＥＶ値を、横軸にＢＶ値をとっている。ＢＶ値が０〜３の範囲（第一輝度領域）にあるときは、ΔＥＶ値を２としている。また、ＢＶ値が６〜９の範囲（第二輝度領域）にあるときは、ΔＥＶ値を１としている。そして、ここで得たΔＥＶ値を用いて、露出目標値を算出する。すなわち、ＢＶ値にＳＶ値を加算して得られた露出基準値（Ｂｖ＋Ｓｖ）からΔＥＶ値を減じることにより、露出目標値を算出する。このようにして得られたＥＶ値を用いて露出制御は行われる。なお、図３では、第一輝度領域のΔＥＶ値を２、第二輝度領域におけるΔＥＶ値を１として固定値で表しているが、固定値であることに限らない。つまり、図３のグラフにおいてＢＶ値に応じてΔＥＶ値を増減させるよう露出補正の特性に傾斜をもたせるようにしてもよい。
【００２９】
ここで、第一輝度領域は、室内などの人工照明下を想定した明るさを示す部分である。近年は雰囲気を重視することからタングステンや電球色の蛍光灯など、色温度の低い光源（３０００Ｋ程度）が多く使われているようになってきた。よって、カメラの測光は標準比視感度に準じた分光感度により行われるため、色温度の低い照明下では青色の露出が不足しがちとなる。そのため、第一輝度領域については、青色の露出を上げることができるように、ＥＶ値を２段階上げるようにする。つまり、通常の露出基準値からΔＥＶ値を２減算することにより、露出を上げるよう露出目標値を補正する。ここで、自然な光による撮影を確実に行うため、ストロボ発光部１５による発光を行わないようにすることができる。具体的には、ＢＶ値が第一輝度領域にあるときは、ストロボ発光部１５の発光を禁止するようなプログラムとすることができる。ただし、この場合でも、ユーザの操作によりストロボを強制発光させることは可能である。
【００３０】
なお、第一輝度領域は、シャッター制御可能範囲の下限ＢＶ値からＢＶ値を３とする値までとする。シャッター制御可能範囲の下限とは、手ぶれ規制などのシャッター速度に制限を設けている場合はその速度とする。規制がない場合は、ＢＶ値が−３から３までの範囲とする。
【００３１】
また、第二輝度領域は、屋外における曇天または晴天時を想定した明るさを示す部分である。第二輝度領域における色温度は中庸（約５０００Ｋ（ケルビン））であり、カメラが取得したＢＶ値が第二輝度領域の範囲内にあるときに、適正露出を与えることで大部分の撮影環境で適切な撮影を行うことができる。そのため第二輝度領域については、撮影状態における光量のばらつきをも考慮する必要がある。そして、全体的に露出不足となることを防止するため、ＥＶ値を１段階上げるようにする。つまり、ＢＶ値＋ＳＶ値により算出された露出基準値からΔＥＶ値を１減算することにより、露出を上げるよう露出目標値を補正する。
【００３２】
なお、第二輝度領域は、ＢＶ値を６とする値からシャッター制御可能範囲の上限ＢＶ値までとする。シャッター制御可能範囲の上限とは、シャッター速度を限界まで遅くした場合の速度であり、または、プログラムとして制御可能な範囲をいう。
【００３３】
また、第一輝度領域におけるΔＥＶ値の平均補正値をΔＥ１、第二輝度領域におけるΔＥＶ値の平均補正値をΔＥ２とすると、ΔＥ１−ΔＥ２≧０．８を満たすΔＥＶ値をとることができれば、上述図３に示すΔＥＶ値以外の露出補正値を設定してもよい。以下、ΔＥ１−ΔＥ２≧０．８とすることが好ましい理由を説明する。
【００３４】
カラーネガにおける赤感層、緑感層、および青感層における波長ごとの分光感度をＳｒ、Ｓｇ、Ｓｂとする。また、光源の相対エネルギー５０００Ｋ（ケルビン）、３０００Ｋ（ケルビン）における波長ごとの相対強度をＩ５０００、Ｉ３０００とすると、次の式（１）に示す結果が得られる。
【数１】
2006003740.tif 000003
【００３５】
一般的にカラーネガにおける色ごとの分光感度は、図４に示すグラフのとおりである。また、代表的な光源（屋内における光源、屋外における光源）の色温度における相対強度は図５に示すグラフのとおりである。以下の式１は、図４、および図５において示される緑感層および青感層の各波長における相対分光感度と相対強度とを乗算して累積的に加算したものの比を算出したものである。
【００３６】
この式（１）から、３０００Ｋの相対エネルギーを有する光源においては、５０００Ｋの相対エネルギーを有する光源と比べて、緑感層に対して青感層は１／２．１５の光しか感光できないことがわかる。ここで算出した値に基づいて、次の式（２）を用いて露出差に換算する。
【数２】
2006003740.tif 000004
【００３７】
この計算結果は、カラーネガにおいては緑感層に対して青感層はＥＶ値で１．１１だけ露出が少なくなることを意味している。
【００３８】
カメラの測光は緑感層の分光感度に準じる標準比視感度で行われる。このため、カメラ測光値に対してＥＶ値において＋１．１１の露出補正を行うと、青感層に対しても適正露出を与えることができる。一方、緑感層に対してもＥＶ値において＋１．１１の露出補正がされることになる。しかし、カラーネガは露出オーバに対して大きなラチチュードを持つため、露出オーバしても問題はない。
【００３９】
そして、現実的な光源のばらつきなどを考慮した数値としてＥＶ値として０．８以上の差をもって（すなわち、ΔＥ１−ΔＥ２≧０．８とする）露出補正することが好ましい数値となる。なお、第一輝度領域、第二輝度領域においてΔＥＶ値を実質的に一定値とする場合（微小に増減する場合も含む）、ΔＥ１、ΔＥ２はそれぞれの範囲における平均値と定義する。また、ΔＥＶ値が一定値となるような制御でない場合（各々の輝度領域においてΔＥＶ値で０．５以上の変動がある場合）、ΔＥ１については第一輝度領域における最低値を採用し、ΔＥ２については第二輝度領域における最大値を採用することとする。
【００４０】
また、ΔＥ１−ΔＥ２≧０．８とする数値条件については、３０００Ｋ、５０００Ｋの光源との比較において算出した数値条件であるが、現実の世界においては様々な光源が存在する。例えば、色温度が高い光源における比較において上述式（２）を算出すると、ＥＶ値が０．５〜０．８となる場合もある。そうした場合、さらに現実に存在するあらゆる光源を想定した数値としてΔＥ１−ΔＥ２≧０．５とすることも好ましい。
【００４１】
次に、上述した露出制御の概念に基づいたカメラ１０の具体的な動作について説明する。図６は、カメラ１０の動作を示すフローチャートである。このフローチャートの制御処理はメモリ部１４に格納されているプログラムに基づき制御部１９によって実行される。
【００４２】
制御部１９は、カメラ１０のシャッターボタン１１が押下されたことを判断すると（Ｓ１）、測光部１３に対して測光処理を行うよう指示を出力する。測光部１３は、外光輝度を検出し、検出信号を出力する。制御部１９は、入力された検出信号に基づいて輝度値となるＢＶ値を算出する（Ｓ２）。
【００４３】
制御部１９は、フィイル感度に応じたＳＶ値とＢＶ値を加算して露出基準値を算出する（Ｓ３）。例えば、ＥＶ値＝ＢＶ値＋ＳＶ値からなる数式を用いてＥＶ値を算出する。具体的に示すと、ＩＳＯ１６００のフィルムのＡＰＥＸ単位は＋９であり、ＢＶ値が３のときには、露出基準値は９＋３＝１２となる。
【００４４】
そして、制御部１９は、フィルム感度検知部１２が検知したフィルムの感度がＩＳＯ１６００で示される感度以上であるか否かを判断する（Ｓ４）。
【００４５】
制御部１９は、フィルム感度がＩＳＯ１６００で示される感度以上であると判断すると、露出基準値を補正する（Ｓ５）。具体的には、制御部１９は、補正制御テーブルから上述算出したＢＶ値に対応したΔＥＶ値を取り出す。そして、制御部１９は、Ｓ３において算出した露出基準値からΔＥＶ値を減算することにより、露出基準値を補正して露出目標値を算出する。
【００４６】
制御部１９は、露出目標値ＥＶを用いて露出制御を行う（Ｓ６）。ここでいう露出制御とは、レンズの絞り（ＡＶ値）とシャッタースピード（ＴＶ値）とを制御するものである。この露出制御は、例えば、図７に示すようなプログラム線図を用いて行われる。
【００４７】
制御部１９は、割り出されたシャッタースピードとＦ値とを用いて撮影するようシャッター部１６に指示を出し、シャッター部１６は撮影を行う（シャッター部１６におけるシャッター部分（羽根）における開口径をＦ値で示された大きさだけ開口し、シャッタースピードで示された所定時間後に閉口する）（Ｓ７）。
【００４８】
また、Ｓ４において、フィルム感度がＩＳＯ１６００以下である場合は、通常の処理であるＥＶ値＝ＢＶ値＋ＳＶ値とする露出制御を行い（Ｓ８）、その後撮影する（Ｓ７）。
【００４９】
このようにして、フィルム感度に基づいた露出制御を行うことができ、ストロボ発光を使用することなく、高品質の撮影を行うことができる。
【００５０】
次に、図３に示した露出制御とは、別の第２の実施形態における露出制御ついて説明する。図８は、図３に示した露出制御とは、別の露出制御の概念図である。
【００５１】
図３によると、ＢＶ値が０〜３を示す第一輝度領域については、ＥＶ値を２段階上げるよう制御している。また、ＢＶ値が５．５〜８を示す第二輝度領域については、ＥＶ値の補正を行わないようにしている。さらに、第２の実施形態においては、ＢＶ値が５未満のときにはストロボ発光は非発光とし、ＢＶ値が５以上のときにはストロボ発光を常時発光とするよう制御するものである。これにより、少なくとも屋内にいるときにはストロボ発光を使用することなく高品質で雰囲気のある写真を撮影することができる。また、屋外にいるときには、ストロボ発光を使用しても、ストロボ発光により被写体が浮き出てしまうといったことがあまりなく、やはり高品質の写真を撮影することができる。
【００５２】
以上説明したように、本実施形態に係るカメラ１０によれば、フィルム感度がＩＳＯ１６００以上の高感度である場合に、第一輝度領域の露光補正値ΔＥＶ１を第二輝度領域の露出補正値ΔＥＶ２に対し平均で少なくとも０．５Ｅｖ以上の大きい値とすることにより、撮影環境に応じた適切な露出制御が行え、ストロボ発光することなく、より現実に近い光による撮影を簡単に行うことができる。特に、室内の人工照明下での撮影環境において、青感層に対しても適正な露出を与えることができ、より高品質な写真撮影が行える。
【００５３】
その際、第一輝度領域の露光補正値ΔＥＶ１を第二輝度領域の露出補正値ΔＥＶ２に対し平均で少なくとも０．８Ｅｖ以上の大きい値とする場合、撮影環境に応じたより適切な露出制御が行え、ストロボ発光することなく、より現実に近い光による撮影を簡単に行うことができる。この場合も、室内の人工照明下での撮影環境において、青感層に対しても適正な露出を与えることができ、より高品質な写真撮影が行える。
【００５４】
また、本実施形態に係るカメラにおいて、ストロボ光を発光するストロボ発光手段を備え、外光輝度が所定値以下である場合は、ストロボ発光手段による発光を行わないようにすることが好ましい。これにより、ストロボ発光による人工的な光による写真撮影を防止して、より現実に近い光による撮影を簡単に行うことができる。
【００５５】
本実施形態においてはフィルムを用いたカメラに基づいて説明したが、本発明係るカメラはフィルムを用いたカメラに限定されるものではない。例えば、ＣＣＤを用いたデジタルカメラに適用してもよい。この場合、フィルム感度を検出する代わりにＣＣＤの設定感度を検知し、その設定感度がＩＳＯ感度１６００に相当する感度以上である場合に、第二輝度領域に対し低い輝度に設定される第一輝度領域において露出補正値を平均で少なくとも０．５Ｅｖ以上の大きい値に設定し、設定感度と輝度値（Ｂｖ）とに基づいて演算される露出基準値に対し露出補正値を減じて露出目標値として露出制御を行えばよい。この場合であっても、上述した実施形態係るカメラと同様な作用効果が得られる。
【図面の簡単な説明】
【００５６】
【図１】本発明の実施形態に係るカメラのブロック構成図である。
【図２】図１のカメラにおける補正制御テーブルの概念図である。
【図３】図１のカメラにおける露出制御の概念図である。
【図４】カラーネガの分光感度を示す図である。
【図５】代表的光源の相対強度を示す図である。
【図６】図１のカメラの動作を示すフローチャートである。
【図７】図１のカメラにおける露出制御の具体例を示すプログラム線図である。
【図８】第２の実施形態における露出制御の概念図である。
【図９】従来のカメラにおける露出制御の概念図である。
【符号の説明】
【００５７】
１０…カメラ、１１…シャッターボタン、１２…フィルム感度検知部、１３…測光部、１４…メモリ部、１５…ストロボ発光部、１６…シャッター部、１７…投光部、１８…受光部、１９…制御部。
【図１】
2006003740.tif 000005
【図２】
2006003740.tif 000006
【図３】
2006003740.tif 000007
【図４】
2006003740.tif 000008
【図５】
2006003740.tif 000009
【図６】
2006003740.tif 000010
【図７】
2006003740.tif 000011
【図８】
2006003740.tif 000012
【図９】
2006003740.tif 000013